(57)【特許請求の範囲】
【請求項１】
遊技台の台枠の上板を島上枠に固定するための遊技台取付け具であって、
支持軸に互いに所定間隔を設けて回動可能に支持された１対の台枠固定ツメ及び前記１対の台枠固定ツメを回動させ前記台枠の上板の上面を押圧して固定するための押しボルトを有する押圧機構と、
前記押圧機構の前記１対の台枠固定ツメとの間で前記遊技台の台枠の上板を挟設する台枠固定補助金具と、
前記島上枠に固定され、前記押圧機構及び前記台枠固定補助金具が前後方向にスライドできるように該押圧機構及び該台枠固定補助金具が装着されたベース部材と、
前記ベース部材の後端部に装着された垂直片の貫通穴に挿通されると共に、前記押圧機構の後端部に設けられた垂直部のネジ穴に螺入され、前記押圧機構及び前記台枠固定補助金具の前後方向のスライド位置を調整する調整ネジとを備え、
前記調整ネジは、前記遊技台の台枠の前方から回転操作可能に構成されていることを特徴とする遊技台取付け具。
【請求項２】
前記台枠固定補助金具は、前記遊技台の台枠の上板に当接する水平方向の腕と、前記押しボルトを挿通可能な長穴が設けられた垂直方向の腕とを備えたＬ字形状に形成されていることを特徴とする請求項１に記載の遊技台取付け具。
【請求項３】
前記押圧機構の後端部に設けられた前記垂直部は該垂直部から後方へ突出する水平部を有し、該水平部には前記台枠固定補助金具の前記垂直方向の腕が挿通する長穴状挿通孔が設けられていることを特徴とする請求項２に記載の遊技台取付け具。
【請求項４】
前記台枠固定補助金具の前記垂直方向の腕の表面には、前記水平部の前記長穴状挿通孔の後端縁が嵌合して係止可能な複数の溝が設けられていることを特徴とする請求項３に記載の遊技台取付け具。
【請求項５】
前記押しボルトには、前記台枠固定補助金具の姿勢を維持するために、前記台枠固定補助金具の前記垂直方向の腕を前記押圧機構方向へ押すように付勢するバネが装着されていることを特徴とする請求項２から４のいずれか１項に記載の遊技台取付け具。
【請求項６】
前記台枠固定補助金具は、前記遊技台の台枠の上板の前後方向の取付け位置を規定する立ち上がり部を有していることを特徴とする請求項２から５のいずれか１項に記載の遊技台取付け具。
【請求項７】
前記立ち上がり部は、前記台枠固定補助金具の前記水平方向の腕の両側にそれぞれ設けられていることを特徴とする請求項６に記載の遊技台取付け具。
【発明の詳細な説明】
【技術分野】
【０００１】
本発明は、パチンコ台等の遊技台の上部を桟枠形の島（設置用基枠）に取付けるための遊技台取付け具に関する。
【背景技術】
【０００２】
一般に、遊技台の島への取付けは、遊技台の背部側にある台枠を遊技台取付け具を使用して島に固定することより行われる。遊技台取付け具は、台枠の上部及び下部で左右２個ずつの合計４個が使用されている。上部で使用される遊技台取付け具は、台枠の上板を介して下板を島の下枠に押圧するような構造となっている。
【０００３】
近年、遊技台の製造業者の競争が台枠にまで及ぶことにより台枠の材質及び形状が非常に多様化しており、台枠の上部で使用される遊技台取付け具については、多様化した台枠に対して汎用性を備えることが要望されている。
【０００４】
このような汎用性を有する従来の遊技台取付け具として、台枠の上板の取付け位置及び取付け角度を調整するための調整機構を備えた遊技台取付け具が特許文献１に記載されている。
【０００５】
この特許文献１に記載の遊技台取付け具は、調整機構の取付け位置及び取付け角度の調整範囲内で異なる寸法の台枠にも対応することができることから、寸法面で多様化した台枠に対してある程度の汎用性を備えている。
【０００６】
しかしながら、この遊技台取付け具は、調整機構の取付け位置及び取付け角度の調整範囲を超えた寸法の台枠に対しては全く対応することができず、その場合は遊技台取付け具全体の取替えが必要になる。
【０００７】
これを解決するために、特許文献２には、調整機構の取付け位置及び取付け角度の調整範囲を超えた寸法の台枠に対しても対応することを可能にする遊技台取付け具が提案されている。
【０００８】
この特許文献２に記載の遊技台取付け具は、調整機構の調整方向の長さを延長するアタッチメントが着脱可能に設けられている。
【先行技術文献】
【特許文献】
【０００９】
【特許文献１】特開２００６−３１４６５３号公報
【特許文献２】特許第５２８０２８２号公報
【発明の概要】
【発明が解決しようとする課題】
【００１０】
しかしながら、上述した従来の遊技台取付け具によると、遊技台の取付け角度を遊技台設置時にその後側からでしか調整できず、遊技台を取付けた後は一切調整できないという問題点があった。
【００１１】
従って本発明の目的は、このような問題点を考慮してなされたもので、遊技台を取付けた後でも遊技台の前面側から取付け角度を簡単に調整することができる遊技台取付け具を提供することにある。
【課題を解決するための手段】
【００１２】
本発明によれば、遊技台の台枠の上板を島上枠に固定するための遊技台取付け具は、支持軸に互いに所定間隔を設けて回動可能に支持された１対の台枠固定ツメ及び１対の台枠固定ツメを回動させ台枠の上板の上面を押圧して固定するための押しボルトを有する押圧機構と、押圧機構の１対の台枠固定ツメとの間で遊技台の台枠の上板を挟設する台枠固定補助金具と、島上枠に固定され、押圧機構及び台枠固定補助金具が前後方向にスライドできるようにこれら押圧機構及び台枠固定補助金具が装着されたベース部材と、ベース部材の後端部に装着された垂直片の貫通穴に挿通されると共に、押圧機構の後端部に設けられた垂直部のネジ穴に螺入され、押圧機構及び台枠固定補助金具の前後方向のスライド位置を調整する調整ネジとを備えている。この調整ネジは、遊技台の台枠の前方から回転操作可能に構成されている。
【００１３】
ベース部材の後端部に装着された垂直片に設けられた貫通穴に挿通されると共に、押圧機構の後端部にある垂直部に設けられたネジ穴に螺入され、押圧機構及び台枠固定補助金具の前後方向のスライド位置を調整する調整ネジを備えており、この調整ネジは、遊技台の台枠の前方から回転操作可能に構成されているので、遊技台を取付けた後でも遊技台の前面側から取付け角度を簡単に調整することができる。なお、本明細書において、「前方向、後方向」とは、遊技台を表から見ての手前方向、奥方向をそれぞれ意味している。
【００１４】
台枠固定補助金具は、遊技台の台枠の上板に当接する水平方向の腕と、押しボルトを挿通可能な長穴が設けられた垂直方向の腕とを備えたＬ字形状に形成されていることが好ましい。この場合、押圧機構の後端部に設けられた垂直部はこの垂直部から後方へ突出する水平部を有し、水平部には台枠固定補助金具の垂直方向の腕が挿通する長穴状挿通孔が設けられていることがより好ましく、台枠固定補助金具の垂直方向の腕の表面には、水平部の長穴状挿通孔の後端縁が嵌合して係止可能な複数の溝が設けられていることがさらに好ましい。このような構成とすることにより、台枠固定補助金具が上下方向にスライドした際に所定の位置で係止されて固定可能となるため、遊技台の台枠の上板の寸法に応じて挟設状態を調整できる。
【００１５】
押しボルトには、台枠固定補助金具の姿勢を維持するために、台枠固定補助金具の垂直方向の腕を押圧機構へ押すように付勢するバネが装着されていることが好ましい。これにより、台枠固定補助金具の複数の溝とベース部材の長穴状挿通孔の後端縁とを確実に嵌合させることができ、台枠固定補助金具を確実に固定することができる。
【００１６】
立ち上がり部は、台枠固定補助金具の水平方向の腕の両側にそれぞれ設けられていることが好ましい。これにより、傾きが無く、遊技台の台枠の上板の取付け位置を規定することができる。
【発明の効果】
【００１７】
本発明によれば、遊技台取付け具は、ベース部材の後端部に装着された垂直片に設けられた貫通穴に挿通されると共に、押圧機構の後端部にある垂直部に設けられたネジ穴に螺入され、押圧機構及び台枠固定補助金具の前後方向のスライド位置を調整する調整ネジを備え、この調整ネジは、遊技台の台枠の前方から回転操作可能に構成されていることで、遊技台を取付けた後でも遊技台の前面側から取付け角度を簡単に調整することができる。
【図面の簡単な説明】
【００１８】
【図１】本発明の一実施形態における遊技台取付け具の構成を概略的に示す斜視図である。
【図２】図１の実施形態における遊技台取付け具の構成を概略的に示す斜め下方から見た斜視図である。
【図３】図１の実施形態における遊技台取付け具の構成を概略的に示す斜め後方から見た斜視図である。
【図４】図１の実施形態における遊技台取付け具の構成を概略的に示す分解斜視図である。
【図５】図１の実施形態における遊技台取付け具の構成を概略的に示す側面図である。
【図６】図１の実施形態における遊技台取付け具を用いて遊技台を取付ける取付け状態を示す斜視図である。
【発明を実施するための形態】
【００１９】
以下、本発明に係る遊技台取付け具を実施するための形態を図面に基づいて説明する。
【００２０】
図１は本発明の一実施形態における遊技台取付け具１００の全体構成を示しており、図２は遊技台取付け具１００を斜め下方から見た状態を示している。ただし、図２においては、専用工具を用いて調整ネジ４０を調整する状態を示している。図３は遊技台取付け具１００を斜め後方から見た状態を示しており、図４は遊技台取付け具１００の各部の構成を示しており、図５は遊技台取付け具１００の構成を示している。図６は遊技台取付け具１００を用いて遊技台を取付ける取付け状態を示している。ただし、図６においては、遊技台取付け具１００の状態をより分かり易く表すために、島上枠Ｆａの一部を切り欠いた状態で示している。
【００２１】
図１〜図６に示すように、本実施形態における遊技台取付け具１００は、ベース部材１０と、押圧機構２０と、台枠固定補助金具３０と、調整ネジ４０とを主に備えている。調整ネジ４０は、遊技台の台枠Ｂの前方から専用工具により回転操作可能に構成されている。
【００２２】
ベース部材１０は、島上枠Ｆａの溝内に固定され、押圧機構２０及び台枠固定補助金具３０を前後方向にスライド可能にこれら押圧機構及び台枠固定補助金具を装着させたものであり、収容ケース１１と、１対の取付け用鍔部１２と、１対の支持片１３と、１対の垂直片取付け部１４と、２つの垂直片１５ａ及び１５ｂとから主に構成されている。収容ケース１１は、前後方向及び下方向にそれぞれ開口を有するコ字状断面を有するように形成されている。１対の取付け用鍔部１２は、収容ケース１１の両側面の下側端縁から外側へ水平方向に折り曲げてそれぞれ形成されている。各取付け用鍔部１２には取付けネジ用穴１２ａが複数設けられている。１対の支持片１３は、収容ケース１１の両側面の下側端縁から内側へ水平方向に折り曲げてそれぞれ形成されている。１対の垂直片取付け部１４は、１対の取付け用鍔部１２の後端からそれぞれ上方へ垂直に折り曲げて形成されている。各垂直片取付け部１４には、垂直片１５ａ及び１５ｂを取付けるための貫通穴１６が設けられている。これら１対の垂直片取付け部１４の背面には、垂直片１５ａ及び１５ｂがネジ１７で固定されている。
【００２３】
押圧機構２０は、台枠固定補助金具３０との間で台枠Ｂの上板Ｂａを押圧して挟設するためのものであり、ケース本体２１と、蓋２２と、１対の台枠固定ツメ２３と、支持軸２４と、押しボルト２５と、バネ２６と、垂直部２７と、台枠固定ツメ戻しバネ２８とから主に構成されている。
【００２４】
ケース本体２１は、前面板、後面板及び両側面板からなり、下部及び上部が開口した略直方体形状の筐体であり、前面板の内側に台枠固定ツメ戻しバネ２８の一端を装着するための突起２１ａ（図５）が設けられている。また、ケース本体２１の両側面には、支持軸２４を挿通する軸穴２１ｂが設けられている。蓋２２は、例えば樹脂製で、ケース本体２１の上部開口に嵌入し封止するように構成されている。
【００２５】
１対の台枠固定ツメ２３は、台枠Ｂの上枠Ｂａの上面を押圧するためのものであり、互いに所定間隔を設けて支持軸２４により回動可能に支持されている。１対の台枠固定ツメ２３の各々は、第１脚部２３ａと第２脚部２３ｂとからなるＬ字形状に形成されており、第１脚部２３ａと第２脚部２３ｂとの交差部に支持軸２４を挿通する軸穴２３ｃが設けられている。第１脚部２３ａの先端部の一方の面側（Ｌ字内側）に押しボルト２５のねじ部の先端が接触しており、第１脚部２３ａの先端部の他方の面側（Ｌ字外側）に凸部２３ｄが設けられている。この凸部２３ｄを囲むように、第１脚部２３ａの先端部を押しボルト２５のねじ部の先端に向かって押しつけるための台枠固定ツメ戻しバネ２８が配置されている。一方、第２脚部２３ｂの先端部の一方の面側（Ｌ字外側）には、鋸歯状の凹凸が設けられている。このような構成により、押しボルト２５を一方向に回転させると、押しボルト２５のねじ部の先端が第１脚部２３ａの先端部を台枠固定ツメ戻しバネ２８の付勢力に抗して押圧し、これにより１対の台枠固定ツメ２３が支持軸２４を中心にして図５の矢印で示される方向に回転し、鋸歯状の凹凸が台枠Ｂの上枠Ｂａの上面に喰い込む。また、押しボルト２５を他方向に回転させると、押しボルト２５のねじ部の先端が後退するので、１対の台枠固定ツメ２３は、台枠固定ツメ戻しバネ２８の付勢力により、元の位置に戻る。
【００２６】
バネ２６は、台枠固定補助金具３０の姿勢を維持するために、台枠固定補助金具３０の垂直方向の腕を押圧機構２０の方向へ押圧するものである。バネ２６は、押しボルト２５が内部に挿通されるように押しボルト２５の回りに装着されている。バネ２６の両端側には、それぞれワッシャＷが配置されている。
【００２７】
垂直部２７は、押圧機構２０のケース本体２１の後端部に設けられており、後方へ突出する水平部２７ａを有し、この水平部２７ａに台枠固定補助金具３０の垂直方向の腕３２を挿通する長穴状挿通孔２７ｂが設けられ、この長穴状挿通孔２７ｂの後端縁２７ｃは後述する嵌合溝３５に嵌合するように断面が鋭角に形成されている。
【００２８】
台枠固定ツメ戻しバネ２８は、一端がケース本体２１の突起２１ａに嵌装され、他端が１対の台枠固定ツメ２３の第１脚部２３ａの凸部２３ｄに嵌装され、１対の台枠固定ツメ２３の第１脚部２３ａを後方へ付勢するように構成されている。
【００２９】
台枠固定補助金具３０は、押圧機構２０の後側に装着され、水平方向の腕３１と、垂直方向の腕３２と、遊技台の台枠Ｂの上板Ｂａの取付け位置を規定する立ち上がり部３３とを有するＬ字形状に形成されている。この台枠固定補助金具３０の垂直方向の腕３２には、押しボルト２５の挿通可能な長穴３４が設けられていると共に、その表面（後側表面）に、長穴状挿通孔２７ｂの後端縁２７ｃが嵌合して係止可能な複数の嵌合溝３５が設けられている。長穴状挿通孔２７ｂの後端縁２７ｃと嵌合溝３５との嵌合位置により、台枠固定補助金具３０の縦方向（上下方向）の位置が規定される。
【００３０】
調整ネジ４０は、ベース部材１０の後端にある垂直片取付け部１４に設けられた貫通穴１６に挿通されると共に、押圧機構２０の後端にある垂直部２７に設けられたネジ穴２７ｄに螺入され、押圧機構２０及び台枠固定補助金具３０の前後方向の位置を調整するように構成されている。調整ネジ４０は、上下方向において、島Ｆの上枠Ｆａの下面と台枠Ｂの上板Ｂａの上面との間に位置し、水平方向において、１対の台枠固定ツメ２３の間に位置し、遊技台の台枠Ｂの前方からドライバ等の専用工具を１対の台枠固定ツメ２３の間に挿入して回転させることにより調整可能となっている。
【００３１】
図６は本実施形態に係る遊技台取付け具１００を用いて遊技台の台枠Ｂの上板Ｂａを島上枠Ｆａに固定する形態を示している。図６に示すように、遊技台取付け具１００のベース部材１０は、島Ｆの上枠Ｆａに堀込まれた取付け溝Ｆｃ内に挿入されてこの上枠Ｆａに固定される。より詳しくは、ベース部材１０の取付け用鍔部１２の上面が島Ｆの上枠Ｆａの下面に当接した状態でこの取付け用鍔部１２に設けられた取付けネジ用穴１２ａに挿通されたネジで固定される。遊技台の台枠Ｂを島Ｆに取付ける際は、下枠Ｂｂは、下部取付け具Ｋによって島Ｆの下枠Ｆｂに固定される。一方、台枠固定補助金具３０を上下方向に移動させることによってその水平方向の腕３１を上枠Ｂａの下面に当接させる。その際、調整ネジ４０を回すことにより台枠固定補助金具３０を前後方向に移動させ、その立ち上がり部３３を台枠Ｂの上板Ｂａの後端面に当接させて、この台枠固定補助金具３０の前後方向の取付け位置を調整する。次いで、押しボルト２５を回して、１対の台枠固定ツメ２３を台枠Ｂの上枠Ｂａの上面に食い込ませ、台枠固定補助金具３０の水平方向の腕３１と、押圧機構２０の１対の台枠固定ツメ２３との間で台枠Ｂの上板Ｂａを挟設して固定する。この状態で、遊技台の台枠Ｂの前方からドライバＤ等の専用工具を１対の台枠固定ツメ２３の間を介して挿入し調整ネジ４０を回転させることにより、台枠Ｂの上板Ｂａを前後方向に移動させ、これにより台枠Ｂの取付け角度を調整することができる。
【００３２】
以上説明したように、本実施形態によれば、遊技台取付け具１００は、ベース部材１０と、押圧機構２０と、台枠固定補助金具３０と、調整ネジ４０とを備えている。調整ネジ４０は、遊技台の台枠Ｂの前方から回転操作可能に構成されているため、遊技台を取付けた後でも遊技台の前面側から取付け角度を簡単に調整可能となる。
【００３３】
また、押圧機構２０の後端にある垂直部２７は、後方へ突出する水平部２７ａを有し、この水平部２７ａに台枠固定補助金具３０の垂直方向の腕３２を挿通する長穴状挿通孔２７ｂが設けられている。この長穴状挿通孔２７ｂの後端縁２７ｃは断面が鋭角に形成されている。台枠固定補助金具３０の垂直方向の腕３２には押しボルト２５が挿通可能な長穴３４が設けられており、その後側表面には、長穴状挿通孔２７ｂの後端縁が嵌合可能な複数の嵌合溝３５が設けられている。これにより、台枠固定補助金具３０が上下方向にスライド可能となると共に、所定の位置で固定することができるため、遊技台の台枠Ｂの上板Ｂａの寸法（厚さ）に応じて位置を調整することができる。
【００３４】
また、押しボルト２５には、台枠固定補助金具３０の姿勢を維持するために、台枠固定補助金具３０の垂直方向の腕３２を押圧機構２０へ押圧するように付勢するバネ２６が装着されている。これにより、台枠固定補助金具３０の嵌合溝３５と押圧機構２０の後端部にある長穴状挿通孔２７ｂの後端縁２７ｃとを確実に嵌合させて係止することができ、台枠固定補助金具３０を確実に固定することができる。
【００３５】
さらに、立ち上がり部３３は、台枠固定補助金具３０の水平方向の腕３１の両側にそれぞれ設けられていることで、遊技台の台枠Ｂの上板Ｂａの取付け位置を横方向への傾き無しに規定することができる。
【００３６】
なお、上述した実施形態においては、台枠固定補助金具３０の立ち上がり部３３は、台枠固定補助金具３０の水平方向の腕３１の両側にそれぞれ設けられているが、本発明はこれに限定されるものではない。例えば、片側のみに立ち上がり部を設けても良い。
【００３７】
以上述べた実施形態は本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００３８】
本発明に係る遊技台取付け具は、背部に台枠を有する各種の遊技台の取付けに使用することが可能である。
【符号の説明】
【００３９】
１０  ベース部材
１１  収容ケース
１２  取付け用鍔部
１２ａ  取付けネジ用穴
１３  支持片
１４  垂直片取付け部
１５ａ、１５ｂ  垂直片
１６  貫通穴
１７  ネジ
２０  押圧機構
２１  ケース本体
２１ａ  突起
２２  蓋
２３  台枠固定ツメ
２３ａ  第１脚部
２３ｂ  第２脚部
２３ｃ  軸穴
２３ｄ  凸部
２４  支持軸
２５  押しボルト
２６  バネ
２７  垂直部
２７ａ  水平部
２７ｂ  長穴状挿通孔
２７ｃ  後端の辺
２８  台枠固定ツメ戻しバネ
３０  台枠固定補助金具
３１  水平方向の腕
３２  垂直方向の腕
３３  立ち上がり部
３４  長穴
３５  嵌合溝
４０  調整ネジ
１００  遊技台取付け具
Ｂ  台枠
Ｂａ  上板
Ｂｂ  下板
Ｄ  ドライバ
Ｆ  島
Ｆａ  上枠
Ｆｂ  下枠
Ｆｃ  取付け溝
Ｋ  下部取付け具
Ｗ  ワッシャ
【図１】
0006516653.tif 000002
【図２】
0006516653.tif 000003
【図３】
0006516653.tif 000004
【図４】
0006516653.tif 000005
【図５】
0006516653.tif 000006
【図６】
0006516653.tif 000007